(57)【要約】【課題】実装すべき操作子を削減して操作子実装スペースの有効利用化を図る。【解決手段】タイムコードの修正時において数値送りキーによる表示数値送りが行われるときに、所定の数値の次に「ＣＬＯＣＫ」などの所定情報を表示し、この所定情報の表示時に表示内容を確定すべき状態となったことに応じ、実時間情報をタイムコード発生器に設定する。タイムコードの修正を行うための操作子と共通の操作子を用いることで実時間情報をタイムコード発生器に設定することができ、これによって実時間情報のタイムコード発生器への設定のための操作子を省略することができる。【選択図】図４
2007287288.tif 000002
【特許請求の範囲】
【請求項１】
所定時間ごとのタイムコードを発生するタイムコード発生手段と、
入力信号と上記タイムコードとを所要の記録媒体に記録する記録手段と、
実時間を計時する実時間計時手段と、
表示手段と、
少なくとも上記表示手段に表示される数値を送るための数値送り操作が可能な数値送り操作子が設けられた操作手段と、
演算手段とを備えると共に、
上記演算手段は、
予め定められた所定の数値以外の数値が上記表示手段に表示されている場合は、上記数値送り操作子の操作に基づき上記表示手段に表示される数値が送られるように制御すると共に、上記表示手段に上記所定の数値が表示されている場合は、上記数値送り操作子の操作に基づき、所定情報が上記表示手段に表示されるように制御する表示制御処理と、
上記表示手段の表示内容を確定すべき状態となったとき、上記表示手段に上記所定情報が表示されていない場合は、表示される数値による時間情報が上記タイムコード発生手段に対して設定されるように制御するタイムコード修正処理と
上記表示手段の表示内容を確定すべき状態となったとき、上記表示手段に上記所定情報が表示されていた場合は、上記実時間計時手段により計時される実時間情報が上記タイムコード発生手段に対して設定されるように制御する実時間設定処理と、を実行するようにされている、
ことを特徴とする記録装置。
【請求項２】
上記操作手段には、上記表示手段の表示内容を確定するための確定操作子がさらに設けられていると共に、
上記タイムコード修正処理及び上記実時間設定処理では、
上記確定操作子による操作に応じて、上記表示手段の表示内容を確定すべき状態となったことを判定するようにされている、
ことを特徴とする請求項１に記載の記録装置。
【請求項３】
上記入力信号は映像信号であり、
上記タイムコード発生手段は、
上記映像信号のフレーム周期に基づく計時を行ってフレーム画像ごとのタイムコードを発生するようにされ、且つ所定周期ごとにタイムコードのフレームの桁の数値を所定数だけ飛ばした計時を行うドロップフレームモードによる計時が可能に構成されると共に、
上記演算手段による上記実時間設定処理では、
上記タイムコード発生手段に対して上記実時間情報が設定されるように制御すると共に、さらに上記タイムコード発生手段に対して上記ドロップフレームモードによる計時を行うように指示するようにされている、
ことを特徴とする請求項１に記載の記録装置。
【請求項４】
所定時間ごとのタイムコードを発生するタイムコード発生手段と、入力信号と上記タイムコードとを所要の記録媒体に記録する記録手段と、実時間を計時する実時間計時手段と、表示手段と、少なくとも上記表示手段に表示される数値を送るための数値送り操作子が設けられた操作手段と、が備えられた記録装置における時間情報設定方法であって、
予め定められた所定の数値以外の数値が上記表示手段に表示されている場合は、上記数値送り操作子の操作に基づき上記表示手段に表示される数値が送られるように制御すると共に、上記表示手段に上記所定の数値が表示されている場合は、上記数値送り操作子の操作に基づき、所定情報が上記表示手段に表示されるように制御する表示制御手順と、
上記表示手段の表示内容を確定すべき状態となったとき、上記表示手段に上記所定情報が表示されていない場合は、表示される数値による時間情報が上記タイムコード発生手段に対して設定されるように制御するタイムコード修正手順と
上記表示手段の表示内容を確定すべき状態となったとき、上記表示手段に上記所定情報が表示されていた場合は、上記実時間計時手段により計時される実時間情報が上記タイムコード発生手段に対して設定されるように制御する実時間設定手順と、
を備えることを特徴とする時間情報設定方法。
【発明の詳細な説明】
【技術分野】
【０００１】
本発明は、入力信号とタイムコードとを所要の記録媒体に記録することのできる記録装置、及びそのような記録装置における時間情報設定方法に関する。
【背景技術】
【０００２】
【特許文献１】特開平５−１８９９４０号公報
【０００３】
例えば記録装置として、特に業務用の映像記録装置では、記録媒体に映像データを記録する際に、その映像中のフレーム画像ごとにタイムコードとしての時間情報を記録するということが行われる。例えば、時分秒のさらに下桁にフレームという単位を設け、ｎ時間ｍ分ｌ秒ｋフレームといったような時間情報をタイムコードとして記録していくようにされるものである。
一例として、映像データの規格としてＮＴＳＣ（National Television System Commitee）方式が採用される場合に対応しては、５９．９４Hzのフレーム周期でフレームの桁の数値が１ずつカウントされ、フレームの桁の数値が３０カウントされるごとに秒の桁の数値が１つ繰り上がるようにされる。
【０００４】
ここで、このようなタイムコードとしては、実時間（現在時刻）に基づく時間情報を記録したいとの要望もある。すなわち、実時間の情報の秒の桁のさらに下桁に、上記のようなフレーム数の桁を加えたタイムコードを記録するといったものである。
【０００５】
従来の記録装置では、このような要望に応えるべく、上記のような５９．９４Hzのフレーム周期によるタイムカウントが可能なタイムコード発生器と共に、さらに実時間を計時する実時間計時部を備えるようにし、所定の操作入力に応じ、実時間計時部により計時される実時間情報をタイムコード発生器に設定するようにされたものがある（例えば上記特許文献１を参照）。
これによって実時間に基づくタイムコードを記録するにあたって、例えばユーザが手動による数値送りを行ってタイムコード発生器の時間情報を実時間に合わせ込むなどといった手間を省略することができるようにされている。
【発明の開示】
【発明が解決しようとする課題】
【０００６】
ここで、従来の記録装置では、上記のような実時間計時部による実時間情報のタイムコード発生器への自動的な設定のための、専用の操作子を設けるようにされていた。すなわちユーザは、このような専用の操作子を操作することで、タイムコード発生器に実時間計時部により計時される実時間を設定させることができるようにされている。これによってユーザは、上記専用の操作子を操作することで、以降、実時間に基づくタイムコードが映像データと共に記録媒体に記録されるようにすることができる。
【０００７】
しかしながら、例えば記録装置としてポータブルタイプのものを想定した場合などには、操作子の実装スペースは比較的少ないものとなり、実装できる操作子の数も限られてしまう。このことを考慮すると、操作子の数としてはできるだけ少なくできることが好ましい。
【課題を解決するための手段】
【０００８】
そこで、本発明では以上のような問題点に鑑み、記録装置として以下のように構成することとした。
つまり、所定時間ごとのタイムコードを発生するタイムコード発生手段と、入力信号と上記タイムコードとを所要の記録媒体に記録する記録手段と、実時間を計時する実時間計時手段とを備える。
また、表示手段と、少なくとも上記表示手段に表示される数値を送るための数値送り操作が可能な数値送り操作子が設けられた操作手段と、演算手段とを備える。
そして、上記演算手段は、
予め定められた所定の数値以外の数値が上記表示手段に表示されている場合は、上記数値送り操作子の操作に基づき上記表示手段に表示される数値が送られるように制御すると共に、上記表示手段に上記所定の数値が表示されている場合は、上記数値送り操作子の操作に基づき、所定情報が上記表示手段に表示されるように制御する表示制御処理と、
上記表示手段の表示内容を確定すべき状態となったとき、上記表示手段に上記所定情報が表示されていない場合は、表示される数値による時間情報が上記タイムコード発生手段に対して設定されるように制御するタイムコード修正処理と
上記表示手段の表示内容を確定すべき状態となったとき、上記表示手段に上記所定情報が表示されていた場合は、上記実時間計時手段により計時される実時間情報が上記タイムコード発生手段に対して設定されるように制御する実時間設定処理と、を実行するようにされているものである。
【０００９】
上記本発明によれば、タイムコードを修正するときと同様に数値送り操作子による数値送りが行われることに応じて、所定の数値の次に上記所定情報が表示されるようになる。そして、この所定情報が表示された状態で、例えば所定の確定操作が行われる、或いは所定時間の経過に応じて自動的に表示内容が確定するようにされる場合はその所定時間が経過するなど、表示内容を確定すべき状態となったことに応じ、タイムコード発生手段に対して実時間情報が設定されるようになる。
つまり、これによってユーザは、タイムコードを修正するときと同じ操作子を用いることで、タイムコード発生手段に実時間計時手段により計時される実時間情報を設定することができるようになる。これにより、タイムコード発生手段に実時間情報を設定するにあって、従来のようにそのための別途の操作子を設ける必要はないものとできる。
【発明の効果】
【００１０】
このようにして本発明によれば、タイムコード発生手段に実時間情報を設定するにあって、従来のようにそのための別途の操作子を設ける必要はないものとできる。
この結果、実装すべき操作子の数は減らすことができ、例えば記録装置がポータブルタイプのものとされるなど操作子の実装スペースが比較的少ない場合にも、操作子の実装スペースの有効利用化を図ることができる。
【発明を実施するための最良の形態】
【００１１】
以下、発明を実施するための最良の形態（以下実施の形態とする）について説明していく。
【００１２】
−記録装置の構成−
図１は、本発明の記録装置の実施の形態である、記録再生装置１の外観を斜視図により示している。
実施の形態の記録再生装置１は、例えばテレビ放送業者や番組制作業者等が、撮影現場などにおいて撮影した映像についての編集を行う用途を想定して製造された、ポータブルタイプの業務用映像編集装置とされる。
【００１３】
この場合、記録再生装置１は、光ディスク記録媒体（後述する光ディスクＤ）に記録された映像データについての編集等を行うように構成されている。また、編集した映像データを光ディスク記録媒体に記録することもできるようにされる。このため、記録再生装置１に対しては、光ディスク記録媒体を装填するための、図示するディスク装填部１２が設けられる。
【００１４】
また、記録再生装置１には、装填された光ディスクから再生した映像や、各種の情報を表示するための表示部１０も設けられている。
【００１５】
さらに、記録再生装置１に対しては、各種情報入力や操作入力を行うための複数の操作子が設けられる。図１では、その一部を示している。
図示するように本実施の形態の記録再生装置１に対しては、サーチダイヤル１１ａ、DATAキー１１ｂ、SETキー１１ｃ、HOLDキー１１ｄが少なくとも備えられる。
【００１６】
上記サーチダイヤル１１ａは、例えば内部にロータリーエンコーダが備えられ、当該サーチダイヤル１１ａを回転させる操作が行われることに応じて、上記ロータリエンコーダからその回転移動位置に応じた操作信号が得られるようになっている。このサーチダイヤル１１ａは、例えば映像データの再生スピードを可変したり、各種表示値の数値送りを行うため等に用いられる。
【００１７】
また、上記DATAキー１１ｂ、SETキー１１ｃ、HOLDキー１１ｄは、特に本実施の形態では時間情報の修正を行うために用いられる操作子となるが、これについては後述する。
【００１８】
図２は、図１に示される記録再生装置１の内部構成を示したブロック図である。
なお、図２では、記録再生装置１の内部構成について、主に後述する実施の形態としての動作を行うために必要な部分のみを抽出して示しており、他の部分については省略している。
先ず、この図１においても、図１に示したディスク装填部１２が示されている。このディスク装填部１２に対しては、図示する光ディスクＤが装填される。
【００１９】
ここで、実施の形態の記録再生装置１が対応する光ディスクＤとしては、例えばレーザ波長λ＝４０５nm、ＮＡ（開口数）＝０．６５による記録再生が行われ、記録膜としては相変化膜を有するようにされてデータの書き換えが可能とされる。
記録容量としてはおよそ２３ＧＢ（ギガバイト）程度と、比較的大容量とされ、これによって業務用としての高解像度の映像にも対応できるようにされている。
以下では、光ディスクＤに対しては、主に映像データが記録されるものとして説明を続ける。
【００２０】
ディスク装填部１２に装填された光ディスクＤに対する記録／再生は、記録／再生部６によって行われる。
記録／再生部６は、光ディスクＤに記録されたデータの記録／再生を行うための構成として、光学ヘッド、スピンドルモータ、サーボ回路、及び再生データを得るためのデコーダ、記録データ生成のためのエンコーダなどを備えて構成される。
また、特に本実施の形態の場合、光ディスクＤに対しては映像データ中のフレーム画像ごとに付されるようにしてタイムコードが記録されている場合があり、記録／再生部６には、このようなタイムコードを再生するデコーダも備えられている。
装填された光ディスクＤより再生された映像データは、映像信号処理部７に供給されるようになっている。
また、再生されたタイムコードは後述するＣＰＵ（Central Processing Unit）２に供給されるようになっている。
【００２１】
また、装填された光ディスクＤに対し記録すべきデータは、映像信号処理部７から当該記録／再生部６に入力されるようになっている。
さらに、記録／再生部６に対しては、後述するタイムコード発生器１３により発生されたタイムコードが入力される。
記録／再生部６は、上記したエンコーダにより、これら入力される映像データとタイムコードとに基づき所定のデータフォーマットによる記録データを生成するようにされ、この記録データを光ディスクＤに対して記録するようにされる。
このとき、上記所定のデータフォーマットに従った記録データの生成が行われることで、上記タイムコードは、映像データ中の各フレーム画像ごとに付されるべきメタデータとして記録されるようになっている。つまり、これによって各フレーム画像ごとにタイムコードが付されるようにして光ディスクＤに対する映像データの記録が行われる。
【００２２】
映像信号処理部７には、上記記録／再生部６により光ディスクＤから再生された映像データが入力されると共に、図示する映像入力端子Ｔvinからの映像データも入力可能とされる。
映像信号処理部７は、入力される映像データについて各種の映像信号処理（画像信号処理）を行うようにされる。例えば、ビデオレベル調整処理、クロマレベル調整処理、セットアップレベル調整処理、クロマフェーズ（位相）調整処理、システムフェーズ調整処理、シンクフェーズ調整処理などの処理を行うことができる。
映像信号処理部７は、後述するＣＰＵ２から各処理ごとに独立して指示される設定値に基づき、上記によるそれぞれの信号処理を実行するようにされる。
【００２３】
映像信号処理部７の出力は、映像出力端子Ｔvoutに供給されると共に、分岐してキャラクタ発生器８にも供給されるようになっている。
キャラクタ発生器８は、映像信号処理部７からの入力データに対して自らが発生した文字や数値、アイコン等のキャラクタを重畳することができるように構成される。
特に、本実施の形態の場合は、後述するタイムコード発生器１３が発生したタイムコードや、光ディスクＤから再生されたタイムコードに基づく表示データを生成するようにされる。
【００２４】
キャラクタ発生器８は、背景に映像信号処理部７からの入力データに基づく画像が表示され、その上にキャラクタが重ねられて表示されるように、キャラクタデータを重畳することができる。或いは、キャラクタのみが表示されるように表示データを生成することもできるようにされる。さらには、映像信号処理部７からの出力にキャラクタを重畳せずにそのまま出力することも可能とされる。
キャラクタ発生器８は、それらの動作の切替を、後述するＣＰＵ２からの指示に基づき行うようにされる。
【００２５】
キャラクタ発生器８からの出力データは、表示駆動部９に供給される。
表示駆動部９は、例えば液晶ディスプレイなどとされる表示部１０を、キャラクタ発生器８からの入力データに基づき表示駆動する。これによって表示部１０上にキャラクタ発生器８からの出力に基づく画像表示が行われるようになっている。
【００２６】
タイムコード発生器１３は、映像データと共に光ディスクＤに対して記録されるべきタイムコードを発生する。このタイムコード発生器１３は、所定時間単位での計時を行って、所定時間ごとのタイムコードを発生するようにされる。
このタイムコードとしては、映像データ中のフレーム画像ごとに付されるべき情報であり、例えば時分秒のさらに下桁にフレームという単位を設け、ｎ時間ｍ分ｌ秒ｋフレームといったような時間情報を発生（生成）するようにされる。
本実施の形態の場合、映像データの規格としてはＮＴＳＣ（National Television System Commitee）方式が採用され、タイムコード発生器１３としてはこれに対応して、５９．９４Hzのフレーム周期による時間単位での計時を行うように構成されている。つまり、５９．９４Hzのフレーム周期でフレームの桁の数値を１ずつカウントし、フレームの桁の数値が３０カウントされるごとに秒の桁の数値を１つ繰り上げるようにして計時を行うようにされる。
【００２７】
また、タイムコード発生器１３は、後述するようにして実時間情報が設定されることに応じて、実時間に基づくタイムコードも発生するようにされる。
ここで、上記のような５９．９４Hzのフレーム周期による計時を行ってタイムコードを発生するようにされる場合、タイムコードと実時間とには徐々にずれが生じてきてしまう。
そこで、タイムコード発生器１３としては、このような実時間との不一致を解消するための動作モードとして、所定周期ごとにタイムコードのフレームの桁の数値を所定数だけ飛ばした計時を行うドロップフレーム（DropFrame）モードとしての動作を行うことが可能に構成される。例えばこの場合、毎分２回、フレームの桁の数値を１つ飛ばして計時を行うようにされているとする。
タイムコード発生器１３は、このようなドロップフレームモードへの切り替えを、後述するＣＰＵ２からの指示に基づき行うようにされる。
【００２８】
タイムコード発生器１３により発生されたタイムコードは、図示するようにして記録／再生部６に対して供給される。またタイムコードは分岐してキャラクタ発生器８に対しても供給されるようになっている。
【００２９】
ＣＰＵ２は、起動されたプログラムに基づいて記録再生装置１の全体制御、演算処理を行う。例えば、図示する操作部１１からの操作入力に応じた動作や、ディスク装填部１２に装填された光ディスクＤについての記録／再生動作、アクセス動作等を制御する。
【００３０】
ＣＰＵ２には、図示するようにＲＯＭ（Read Only Memory）３、ＲＡＭ（Random Access Memory）４、フラッシュメモリ５が備えられる。
上記ＲＯＭ３には、ＣＰＵ２の動作プログラム、プログラムローダー等が記憶される。特に本実施の形態の場合、このＲＯＭ３に対しては、後述する実施の形態としての動作を実現するための処理動作（図５、図６）をＣＰＵ２に実行させるためのプログラムも格納される。
【００３１】
また、上記ＲＡＭ４には、ＣＰＵ２がプログラムを実行する上でのデータ領域、タスク領域が一時的に確保される。
また、上記フラッシュメモリ５は、データの書き換えが可能で且つ電源オフ後も記録したデータが保持される不揮発性メモリである。フラッシュメモリ５には例えば各種演算係数、プログラムで用いるパラメータ等が記憶される。
【００３２】
操作部１１は、先の図１に示した各種操作子（１１ａ〜１１ｄ）を包括的に示している。操作部１１においては、DATAキー１１ｂ、SETキー１１ｃ、HOLDキー１１ｄの各操作子ごとの操作情報（操作信号）をＣＰＵ２に供給するようにされる。また、サーチダイヤル１１ａについては、その回転操作に応じ、内部のロータリーエンコーダ（図示せず）から回転移動位置を示す操作情報がＣＰＵ２に供給される。
ＣＰＵ２は操作部１１からの操作情報に応じた処理動作を実行し、これによってユーザの指示に応じた動作が実現されるようになっている。
【００３３】
また、ＣＰＵ２に対しては、実時間計時部１４が備えられる。この実時間計時部１４は実時間（現在時刻）を計時する。例えばこの場合は時分秒による実時間情報を生成するようにされ、これをＣＰＵ２に対して供給するようにされる。
【００３４】
−タイムコードの修正−
ここで、実施の形態の記録再生装置１としては、ユーザ操作に応じてタイムコード発生器１３の発生するタイムコードの修正を行うことが可能に構成されている。
以下、図３を参照して、このようなタイムコードの修正のためにユーザが行うべき操作と、操作に応じた表示部１０上の画面遷移とについて説明する。
【００３５】
先ず、表示部１０上の所定領域には、初期状態として、図３（ａ）に示すような時間情報が通常表示により表示されている。
図示するようにして、表示部１０上の所定領域に対して表示される時間情報としては、タイムコードの値を示すために、下桁側から順に「Ｆ」「１０Ｆ」によるＦｒａｍｅ桁（フレーム数の１の位、１０の位）、「Ｓ」「１０Ｓ」によるＳｅｃ桁（秒数の一の位、十の位）、「Ｍ」「１０Ｍ」によるＭｉｎ桁（分数の一の位、十の位）、「Ｈ」「１０Ｈ」によるＨｏｕｒ桁（時間数の一の位、十の位）の表示領域が確保されている。
ここでは一例として、時間情報としては図示するようにＨｏｕｒ桁から順に「１２」「３４」「５６」「００」が表示されていたとする。
なお、確認のために述べておくと、このような時間情報は、図２に示したキャラクタ発生部８がタイムコード発生器１３が発生したタイムコードや、光ディスクＤから再生されたタイムコードを元に生成した表示データに基づき表示されるものである。
【００３６】
図３（ａ）に示す初期状態において、ユーザは、図１に示したHOLDキー１１ｄを操作することで、時間情報の修正モードに切り替えることができる。
このような修正モードへの切り替えが行われると、時間情報の所定桁の表示部分が点滅表示される。つまり、次の図３（ｂ）に破線で示すようにして、この場合はＨｏｕｒ桁の表示部分が点滅表示される。
なお、図３（ａ）に示した初期状態では、このような点滅表示は行われない。その意味で、図３（ａ）に示す初期状態での時間情報の表示態様を、上述のようにして「通常表示」と呼んでいる。
【００３７】
このような点滅表示は、修正モードに切り替えられたことをユーザに通知する役割を果たすと共に、修正対象となる桁の位置を表す役割も果たす。
この場合、点滅表示される桁の位置を変更するとした場合は、図３（ｂ）から図３（ｃ）への遷移として示されるように、サーチダイヤル１１ａを操作するようにされる。例えば図示されるようにサーチダイヤル１１ａを右に回す操作を行うと、図３（ｂ）ではＨｏｕｒ桁であった点滅表示がＭｉｎ桁に変更されることになる。
図示は省略したが、さらにサーチダイヤル１１ａを右に回す操作を行うことで、点滅表示はＳｅｃ桁、Ｆｒａｍｅ桁に順次移動するようになる。このようにしてサーチダイヤル１１ａを右方向に回転させることで、ユーザは点滅表示桁（修正対象桁）を下桁に移動させることができる。
なお、サーチダイヤル１１ａを左に回す操作に応じては、点滅表示される桁が上桁に移動されるようにすることもできる。
【００３８】
また、点滅表示される桁の数値を修正するとしたときは、例えば上述した図３（ｂ）から図３（ｄ）への遷移、又は図３（ｃ）から図３（ｅ）への遷移として示されるように、DATAキー１１ｂを押しながらサーチダイヤル１１ａを回す操作を行う。
例えば、図３（ｂ）の状態でDATAキー１１ｂを押しながらサーチダイヤル１１ａを右に回す操作を行うと、図３（ｄ）に示されるように点滅表示されるＨｏｕｒ桁の数値がインクリメントされて表示される。
また、例えば図３（ｃ）の状態でDATAキー１１ｂを押しながらサーチダイヤル１１ａを右に回す操作を行うと、図３（ｅ）に示されるように点滅表示されるＭｉｎ桁の数値がインクリメントされて表示される。
【００３９】
なお、図示は省略したが、DATAキー１１ｂを押しながら逆にサーチダイヤル１１ａを左に回す操作を行った場合は、点滅表示される桁の数値がデクリメントされて表示されることになる。
【００４０】
また、この場合、DATAキー１１ｂを押しながらサーチダイヤル１１ａを右に回す操作により数値が徐々にインクリメントされて表示される際、Ｍｉｎ桁の数値とＳｅｃ桁の数値とについては「５９」の次に「００」が表示され、Ｆｒａｍｅ桁の数値は「２９」の次に「００」が表示されるものとなる。
また、DATAキー１１ｂを押しながらサーチダイヤル１１ａを左に回す操作により数値が徐々にデクリメントされて表示される際、Ｍｉｎ桁の数値とＳｅｃ桁の数値とについては「００」の次に「５９」が表示され、Ｆｒａｍｅ桁の数値は「００」の次に「２９」が表示されるものとなる。
なお、Ｈｏｕｒ桁については「２３」と「００」との間に所定情報を挟むようにされるがこのことについては後述する。
【００４１】
このようにしてユーザは、HOLDキー１１ｄを押して修正モードに切り替えを行った後に、サーチダイヤル１１ａを回す操作を行って点滅表示される桁を変更したり、またDATAキー１１ｂを押しながらサーチダイヤル１１ａを回す操作を行って点滅表示される桁の数値を変更することで、修正されるべきタイムコードの値を入力することができるようにされている。
【００４２】
なお、ユーザは、修正モードへの切り替え後、再度HOLDキー１１ｄを操作することで、修正モードを解除して時間情報を元の通常表示状態に戻すことができる。すなわち点滅表示の為されない通常表示に戻すことができる。
このとき、例えば図３（ｄ）に示すように、表示される数値が元の数値から変更された（この場合はＨｏｕｒ桁の元の数値「１２」から「１３」に変更されている）状態から、HOLDキー１１ｄによる操作が行われた場合は、変更された数値は反映せず、修正モード前の元の数値（この場合は「１２：３４：５６：００」）を表示するようにされる。
【００４３】
一方、この場合、タイムコードの値を、入力した数値に修正するとした場合には、SETキー１１ｃを操作するようにされる。
すると、現在表示中の数値がタイムコード発生器１３に対して設定される。そして、時間情報としては通常表示に戻るようにされる。
例えば図３（ｄ）の状態においてSETキー１１ｃが操作された場合、タイムコード発生器１３には「１３：３４：５６：００」による時間情報が設定され、これによってタイムコードの値はこの「１３：３４：５６：００」に修正されたことになる。
【００４４】
−実施の形態としての動作−
ここで、先にも述べたように、実施の形態の記録再生装置１としては、実時間を計時する実時間計時部１４を備えている。そして、実施の形態の記録再生装置１では、この実時間計時部１４により計時される実時間情報をタイムコード発生器１３に設定することができるように構成される。つまり、これによって実時間に基づくタイムコードを映像データと共に光ディスクＤに記録するにあたって、例えば上記のようなユーザの手動による修正操作を行ってタイムコード発生器１３の時間情報を実時間に合わせ込むなどといった手間を省略することができるようにされているものである。
【００４５】
図４は、このようにして記録再生装置１に実時間計時部１４により計時される実時間情報をタイムコード発生器１３に設定させるために行われるべきユーザ操作と、操作に応じた表示部１０上の時間情報の内容の遷移とを模式的に示している。
先ず、ユーザは、タイムコード発生器１３に実時間計時部１４による実時間情報を設定させるとしたときは、修正モードへの切り替えを行う。この修正モードへの切り替えは、先の図３にて説明したように、表示部１０上の時間情報の表示が通常表示とされる場合においてHOLDキー１１ｄを操作することで行う。
この場合も修正モードへの切り替えは、通常表示として「１２：３４：５６：００」の時間情報が表示されていた状態にて行われたものとし、表示部１０上の時間情報としては、図４（ａ）に示すようにして、先の図３（ｂ）と同じ内容が表示されたとする。
【００４６】
ここで、このように修正モードへの切り替えを行った後、図示するようにしてDATAキー１１ｂを押しながら点滅している数値が２３になるまでサーチダイヤル１１ａを右に回す操作を行うと、時間情報としては、次の図４（ｂ）に示されるようにしてＨｏｕｒ桁の数値が「２３」となる。
その上で、DATAキー１１ｂを押しながらさらにサーチダイヤル１１ａを右に回す操作を行うと、次の図４（ｃ）に示されるようにして、時間情報の表示領域には「ＣＬＯＣＫ」の表示が行われるものとなる。
また、さらにDATAキー１１ｂを押しながらサーチダイヤル１１ａを右に回す操作を行うと、次の図４（ｄ）に示されるようにして、時間情報の表示領域の表示内容は時間情報に戻り、Ｈｏｕｒ桁の数値は「００」となるようにされる。
【００４７】
また、図示は省略したが、DATAキー１１ｂを押しながら逆にサーチダイヤル１１ａを左に回す操作を行った場合は、Ｈｏｕｒ桁の数値は徐々にデクリメントされるが、本実施の形態の場合、このような数値の逆送り時においては、「００」の次には同様に「ＣＬＯＣＫ」が表示されるものとなる。そしてこの「ＣＬＯＣＫ」表示時にさらにDATAキー１１ｂ＋サーチダイヤル１１ａを左に回す逆送り操作が行われた場合には、時間情報の表示領域の表示内容は時間情報に戻り、Ｈｏｕｒ桁の数値は「２３」となるようにされる。
【００４８】
本実施の形態では、図４（ｃ）に示したように表示部１０上に「ＣＬＯＣＫ」の表示が為された状態での、SETキー１１ｃの操作（修正モード時において入力値を確定する操作）を、実時間情報をタイムコード発生器１３に設定するための操作として割り当てるようにしている。
【００４９】
つまり、図４（ｃ）に示す「ＣＬＯＣＫ」の表示状態において、SETキー１１ｃによる操作が行われた場合、実時間計時部１４により生成される実時間情報をタイムコード発生器１３に設定するようにされる。
これによって以降、光ディスクＤに対するタイムコードの記録が行われる際には、実時間に基づくタイムコードが記録／再生部６に順時供給されるようになる。これにより、映像データと共に実時間に基づくタイムコードが光ディスクＤに記録されるようにすることができる。
【００５０】
ここで、本実施の形態では、このようにしてタイムコード発生器１３に実時間計時部１４により生成される実時間情報を設定するときには、さらにタイムコード発生器１３の動作モードをドロップフレームモードに切り替える動作を行うようにされる。
このようなドロップフレームモードへの切り替えが行われることにより、タイムコード発生器１３により発生されるタイムコードと実時間との誤差が拡大されないようにすることができ、タイムコードと実時間との同期状態が確保されるようにすることができる。
【００５１】
なお、図示は省略したが、このようにタイムコード発生器１３への実時間情報への設定、及びドロップフレームモードへの切り替えを行った後の表示部１０上の表示としては、通常表示に戻るようにされる。つまり、修正モードへの切り替え前の表示状態に戻るようにされる。
【００５２】
−処理動作−
図５、図６のフローチャートは、上記により説明したタイムコードの修正動作と、本実施の形態としての動作とを実現するために行われるべき処理動作について示している。
なお、これら図５、図６に示される処理動作は、図２に示したＣＰＵ２がＲＯＭ３内に格納されるプログラムに基づいて実行するものである。なお、図５においては、表示部１０上に時間情報が通常表示されている初期状態にある（図３（ａ）参照）とする。
【００５３】
先ず、図５において、ステップＳ１０１では、HOLDキー操作を待機するようにされる。HOLDキー１１ｄによる操作入力が得られ、HOLDキー操作があったとされた場合は、ステップＳ１０２において、Ｈｏｕｒ桁点滅表示処理を行う。つまり、表示部１０上に表示される時間情報におけるＨｏｕｒ桁の数値が点滅表示されるように、キャラクタ発生器１３に対する指示を行う。
【００５４】
ステップＳ１０３、ステップＳ１０４、ステップＳ１０５、ステップＳ１０６によっては、サーチダイヤル操作、DATAキー操作＋サーチダイヤル操作、SETキー操作、HOLDキー操作の何れかが行われるのを待機するループが形成される。
【００５５】
上記ステップＳ１０３において、サーチダイヤル１１ａの操作に伴う操作入力が得られて肯定結果が得られた場合は、ステップＳ１０７に進み、点滅表示を次桁へ移動させるための処理を行う。この場合、ロータリエンコーダからの操作情報より、サーチダイヤル１１ａの回転方向が右方向であったとされた場合には、点滅表示が下桁に移動されるようにキャラクタ発生器８に対する指示を行うようにされる。また、回転方向が左方向であるとされた場合は点滅表示が上桁に移動されるようにキャラクタ発生器８に対する指示を行う
このステップＳ１０７の処理を実行すると、ステップＳ１０３に戻るようにされる。
【００５６】
また、上記ステップＳ１０６において、HOLDキー１１ｄによる操作入力が得られてHOLDキー操作があったとして肯定結果が得られた場合は、図示するようにしてステップＳ１０８に進み、通常表示に戻るための処理を実行するようにされる。つまり、ステップＳ１０１の時点で時間情報として表示されていた元の数値が、点滅表示なしの通常表示により表示されるようにキャラクタ発生器８に対する指示を行うようにされる。
これにより、１度HOLDキー操作が行われて（ステップＳ１０１）修正モードに切り替えられた後に再度のHOLDキー操作が行われた場合は、表示部１０上の時間情報は、先に述べたようにしてその数値が変更されたとしても変更された数値は反映されずに、元の数値が点滅なしの通常表示されることになる。
【００５７】
また、上記ステップＳ１０４において、DATAキー１１ｂによる操作入力とサーチダイヤル１１ａの操作に伴う操作入力とが得られ、DATAキー操作＋サーチダイヤル操作があったとして肯定結果が得られた場合は、次の図６に示す処理に移行するようにされる。
【００５８】
図６において、先ず、ステップＳ２０１、ステップＳ２０２、ステップＳ２０３、ステップＳ２０４では、それぞれ点滅桁がＨｏｕｒ桁、Ｍｉｎ桁、Ｓｅｃ桁、Ｆｒａｍｅ桁であるか否かの判別処理を実行するようにされる。
【００５９】
ステップＳ２０１において、点滅桁がＨｏｕｒ桁であるとして肯定結果が得られた場合は、ステップＳ２０５に進み、サーチダイヤルの回転方向を判別するようにされる。
ステップＳ２０５において、ロータリエンコーダからの操作情報によりサーチダイヤル１１ａの回転方向が右方向であったと判別された場合は、ステップＳ２０６に進み、現在の値が２３ならＣＬＯＣＫ表示とし、現在がＣＬＯＣＫ表示なら値を００とし、それ以外なら現在の値に１足した値とするための処理を行う。
つまり、現在の表示部１０上の時間情報のＨｏｕｒ桁に表示されている数値が「２３」であれば、時間情報の表示領域に「ＣＬＯＣＫ」の情報が表示されるようにキャラクタ発生器８に対する指示を行う。
また、現在の表示部１０上の時間情報の表示領域に「ＣＬＯＣＫ」の情報が表示されている場合には、Ｍｉｎ桁、Ｓｅｃ桁、Ｆｒａｍｅ桁の数値が当該「ＣＬＯＣＫ」の情報が表示される直前の表示状態に戻り、且つＨｏｕｒ桁に「００」が表示されるようにキャラクタ発生器８に対する指示を行う。
また、現在の表示部１０上の時間情報のＨｏｕｒ桁に表示されている数値が「００」「２３」でなく、且つ「ＣＬＯＣＫ」の情報が表示されていない場合には、Ｈｏｕｒ桁の数値として現在表示される値を１インクリメントした値が表示されるようにキャラクタ発生器８に対する指示を行う。
【００６０】
このステップＳ２０５の処理を実行すると、図示するようにして先の図５におけるステップＳ１０３に戻るようにされ、これによって再度、サーチダイヤルの操作、DATAキー操作＋サーチダイヤル操作、SETキー操作、HOLDキー操作の何れかが行われるのを待機するようにされる。
なお、図示するようにして、以下で説明するステップＳ２０７、Ｓ２０９、Ｓ２１０、Ｓ２１２、Ｓ２１３、Ｓ２１５、Ｓ２１６についても、その処理の実行後には同様にステップＳ１０３に戻るようにされる。
【００６１】
また、上記ステップＳ２０５において、サーチダイヤル１１ａの回転方向が左方向であったと判別された場合は、ステップＳ２０７に進み、現在の値が００ならＣＬＯＣＫ表示とし、現在がＣＬＯＣＫ表示なら値を２３とし、それ以外なら現在の値から１引いた値とするための処理を行う。
つまり、現在の表示部１０上の時間情報のＨｏｕｒ桁に表示されている数値が「００」であれば、時間情報の表示領域に「ＣＬＯＣＫ」の情報が表示されるようにキャラクタ発生器８に対する指示を行う。
また、現在の表示部１０上の時間情報の表示領域に「ＣＬＯＣＫ」の情報が表示されている場合には、Ｍｉｎ桁、Ｓｅｃ桁、Ｆｒａｍｅ桁の数値が当該「ＣＬＯＣＫ」の情報が表示される直前の表示状態に戻り、且つＨｏｕｒ桁に「２３」が表示されるようにキャラクタ発生器８に対する指示を行う。
また、現在の表示部１０上の時間情報のＨｏｕｒ桁に表示されている数値が「２３」「００」でなく、且つ「ＣＬＯＣＫ」の情報が表示されていない場合には、Ｈｏｕｒ桁の数値として現在表示される値を１デクリメントした値が表示されるようにキャラクタ発生器８に対する指示を行う。
【００６２】
また、ステップＳ２０２において、点滅桁がＭｉｎ桁であるとして肯定結果が得られた場合は、ステップＳ２０８に進み、先のステップＳ２０５の処理と同様にサーチダイヤルの回転方向を判別するようにされる。
そして、このステップＳ２０８において、サーチダイヤル１１ａの回転方向が右方向であったと判別された場合は、ステップＳ２０９において、現在の値が５９なら００を表示し、それ以外なら現在の値に１足した値とするための処理を行う。
つまり、現在の表示部１０上の時間情報のＭｉｎ桁に表示されている数値が「５９」であれば、Ｍｉｎ桁に「００」が表示されるようにキャラクタ発生器８に対する指示を行い、また、現在の表示部１０上の時間情報のＭｉｎ桁に表示されている数値が「５９」以外の数値である場合には、Ｍｉｎ桁の数値として現在表示される値を１インクリメントした値が表示されるようにキャラクタ発生器８に対する指示を行う。
【００６３】
一方、上記ステップＳ２０８において、サーチダイヤル１１ａの回転方向が左方向であったと判別された場合は、ステップＳ２１０において、現在の値が００なら５９を表示し、それ以外なら現在の値から１引いた値とするための処理を行う。
つまり、現在の表示部１０上の時間情報のＭｉｎ桁に表示されている数値が「００」であれば、Ｍｉｎ桁に「５９」が表示されるようにキャラクタ発生器８に対する指示を行い、また、現在の表示部１０上の時間情報のＭｉｎ桁に表示されている数値が「００」以外の数値である場合には、Ｍｉｎ桁の数値として現在表示される値を１デクリメントした値が表示されるようにキャラクタ発生器８に対する指示を行う。
【００６４】
また、ステップＳ２０３において、点滅桁がＳｅｃ桁であるとして肯定結果が得られた場合は、ステップＳ２１１に進み、サーチダイヤルの回転方向を判別するようにされる。
そして、このステップＳ２１１において、サーチダイヤル１１ａの回転方向が右方向であったと判別された場合は、ステップＳ２１２において、現在の値が５９なら００を表示し、それ以外なら現在の値に１足した値とするための処理を行う。
つまり、現在の表示部１０上の時間情報のＳｅｃ桁に表示されている数値が「５９」であれば、Ｓｅｃ桁に「００」が表示されるようにキャラクタ発生器８に対する指示を行い、また、現在の表示部１０上の時間情報のＳｅｃ桁に表示されている数値が「５９」以外の数値である場合には、Ｓｅｃ桁の数値として現在表示される値を１インクリメントした値が表示されるようにキャラクタ発生器８に対する指示を行う。
【００６５】
一方、上記ステップＳ２１１において、サーチダイヤル１１ａの回転方向が左方向であったと判別された場合は、ステップＳ２１３において、現在の値が００なら５９を表示し、それ以外なら現在の値から１引いた値とするための処理を行う。
つまり、現在の表示部１０上の時間情報のＳｅｃ桁に表示されている数値が「００」であれば、Ｓｅｃ桁に「５９」が表示されるようにキャラクタ発生器８に対する指示を行い、また、現在の表示部１０上の時間情報のＳｅｃ桁に表示されている数値が「００」以外の数値である場合には、Ｓｅｃ桁の数値として現在表示される値を１デクリメントした値が表示されるようにキャラクタ発生器８に対する指示を行う。
【００６６】
また、ステップＳ２０４において、点滅桁がＦｒａｍｅ桁であるとして肯定結果が得られた場合は、ステップＳ２１４に進み、サーチダイヤルの回転方向を判別するようにされる。
そして、このステップＳ２１４において、サーチダイヤル１１ａの回転方向が右方向であったと判別された場合は、ステップＳ２１５において、現在の値が２９なら００を表示し、それ以外なら現在の値に１足した値とするための処理を行う。
つまり、現在の表示部１０上の時間情報のＦｒａｍｅ桁に表示されている数値が「２９」であれば、Ｆｒａｍｅ桁に「００」が表示されるようにキャラクタ発生器８に対する指示を行い、また、現在の表示部１０上の時間情報のＦｒａｍｅ桁に表示されている数値が「２９」以外の数値である場合には、Ｆｒａｍｅ桁の数値として現在表示される値を１インクリメントした値が表示されるようにキャラクタ発生器８に対する指示を行う。
【００６７】
一方、上記ステップＳ２１４において、サーチダイヤル１１ａの回転方向が左方向であったと判別された場合は、ステップＳ２１６において、現在の値が００なら２９を表示し、それ以外なら現在の値から１引いた値とするための処理を行う。
つまり、現在の表示部１０上の時間情報のＦｒａｍｅ桁に表示されている数値が「００」であれば、Ｆｒａｍｅ桁に「２９」が表示されるようにキャラクタ発生器８に対する指示を行い、また、現在の表示部１０上の時間情報のＦｒａｍｅ桁に表示されている数値が「００」以外の数値である場合には、Ｆｒａｍｅ桁の数値として現在表示される値を１デクリメントした値が表示されるようにキャラクタ発生器８に対する指示を行う。
【００６８】
説明を図５に戻す。
図５において、先に述べたステップＳ１０３、Ｓ１０４、Ｓ１０５、Ｓ１０６のうち、ステップＳ１０５にて、SETキー１１ｃからの操作入力がありSETキー操作が行われたとして肯定結果が得られた場合は、図示するようにしてステップＳ１０９に進むようにされる。
【００６９】
ステップＳ１０９では、現在ＣＬＯＣＫ表示であるか否かの判別処理を実行するようにされる。すなわち、先の図６ステップＳ２０６又はＳ２０７の処理によって、表示部１０上の時間情報表示領域に「ＣＬＯＣＫ」の情報が表示された状態にあるか否かについて判別処理を行うようにされる。
【００７０】
ステップＳ１０９において、ＣＬＯＣＫ表示が行われていないとして否定結果が得られた場合は、ステップＳ１１０に進み、現在表示中の時間をタイムコード発生器に設定する処理を実行するようにされる。すなわち、現在表示部１０上の時間情報表示領域にて表示されている数値に基づく時間情報を、タイムコード発生器１３に対して設定するようにされる。
これによってタイムコード発生器１３により生成されるタイムコードを、ユーザの入力値に基づき修正（更新）することができる。
【００７１】
そして、続くステップＳ１１１では、通常表示に戻るための処理を実行する。すなわち、時間情報として点滅表示なしの通常表示が為されるようにキャラクタ発生器８に対する指示を行う。
なおこの場合は、SETキー操作に応じてタイムコードが修正されたことになるので、時間情報の数値としては元の数値に戻さずそのままの数値を維持するようにされる。
【００７２】
一方、上記ステップＳ１０９において、ＣＬＯＣＫ表示が行われているとして肯定結果が得られた場合は、ステップＳ１１２に進み、実時間をタイムコード発生器に設定すると共に、ドロップフレームモードに切り替えるための処理を実行するようにされる。
すなわち、実時間計時部１４により生成される実時間情報をタイムコード発生器１３に設定すると共に、さらに動作モードがドロップフレームモードに切り替えられるようにタイムコード発生器１３に対して指示を行う。
【００７３】
続くステップＳ１１３では、通常表示に戻るための処理を実行する。つまり、先のステップＳ１０８と同様に、修正モードへの切り替え前の表示状態に戻るようにキャラクタ発生器８に対する指示を行う。
【００７４】
−実施の形態のまとめ及び変形例−
以上で説明してきたように本実施の形態では、タイムコードの修正モード時において、Ｈｏｕｒ桁の所定の数値の次に、実時間計時部１４による実時間情報をタイムコード発生器１３に設定することを示す「ＣＬＯＣＫ」の情報（所定情報）を表示し、この「ＣＬＯＣＫ」の情報の表示状態で、修正値を確定するための操作と同じSETキー操作が行われたことに応じて、上記実時間情報をタイムコード発生器１３に設定するようにされている。
【００７５】
このようにすることで、本実施の形態において実時間計時部１４による実時間情報をタイムコード発生器１３に設定させるにあたって行うべき操作としては、少なくとも修正モードへの切り替えを行うためのHOLDキー操作、数値送りのためのDATAキー操作＋サーチダイヤル操作、及び表示内容確定のためのSETキー操作と、タイムコードの修正のために行うべき操作と全て共通化することができる。
【００７６】
これによって、実時間計時部１４による実時間情報をタイムコード発生器１３に設定させるにあたり、従来のように別途の操作子を設ける必要はないものとすることができる。そして、これによれば、実装すべき操作子の数は減らすことができ、例えば本実施の形態の記録再生装置１のようにポータブルタイプとされる場合など、操作子の実装スペースが比較的少ない場合にも、操作子の実装スペースの有効利用化を図ることができる。
【００７７】
ここで、本発明としてはこれまに説明した実施の形態に限定されるべきものではない。
例えば、操作子の名称等は実施の形態で例示したものに限定されない。
また、数値送りのための操作子としてはロータリーエンコーダを用いたダイヤル操作子とする場合を例示したが、例えば数値を順送りする操作子と逆送りする操作子との２つの操作子が数値送り操作子とされる場合など、ダイヤル操作子以外の操作子が数値送り操作子とされる場合にも本発明は好適に適用することができる。
【００７８】
また、実施の形態では、サーチダイヤル１１ａ単独の操作が修正対象桁を変更する指示に割り当てられ、DATAキー１１ｂが押された状態でのサーチダイヤル１１ａの操作が対象桁の数値を変更する（送る）指示に割り当てられる場合を例示したが、それらの操作内容と指示との関係が逆となるようにすることもできる。
但し、何れの場合においてもＣＰＵ２は、サーチダイヤル１１ａ（この場合の数値送り操作子）の操作に基づき、表示される数値が送られるように制御していることに変わりはない。
【００７９】
また、実施の形態では、SETキー１１ｃとしての所定の確定操作子の操作に応じて、表示値をタイムコードの修正値として確定、又は実時間情報をタイムコード発生器１３に設定する場合を例示したが、これに代えて、例えば無操作状態が所定時間以上継続したことに応じてＣＰＵ２が表示内容を確定すべき状態となったと判定して、表示値をタイムコードの修正値として確定、又は実時間情報をタイムコード発生器１３に設定するように構成することもできる。
【００８０】
また、実施の形態では、実時間情報（及びタイムコード）は時：分：秒（：フレーム）とされる場合を例示したが、例えば年月日などをさらに加えた時間情報などとすることもできる。
【００８１】
また、実施の形態では、実時間計時部１４による実時間情報をタイムコード発生器１３に設定することを示す所定情報として「ＣＬＯＣＫ」の情報を表示するものとしたが、このような所定情報としては他の情報とすることもできる。
【００８２】
また、実施の形態では、所定情報は時間情報に代えて表示するものとしたが、時間情報の表示は残しながら所定情報を表示するように構成することもできる。
また、所定情報は、Ｈｏｕｒ桁における所定の数値の表示状態からの送り操作に応じて表示するもとしたが、所定情報は他の桁における他の所定の数値の表示状態での送り操作に応じて表示されるようにすることもできる。例えば、Ｍｉｎ桁であれば、「５９」の表示状態で順送りされる、又は「００」の表示状態で逆送りされることに応じて所定情報が表示されるようにするといったものである。
【００８３】
また、実施の形態では、本発明の記録装置が光ディスク記録媒体についての記録再生を行う装置に適用される場合を例示したが、光ディスク記録媒体以外の他の記録媒体に対応した構成とすることもできる。
また、実施の形態では、本発明の記録装置が業務用のポータブル編集装置とされる場合を例示したが、本発明としては、例えばビデオカメラ装置など、記録媒体に映像データとタイムコードとを記録するように構成された装置に対して広く適用することができる。
【図面の簡単な説明】
【００８４】
【図１】実施の形態の記録装置の外観を示す斜視図である。
【図２】実施の形態の記録装置の内部構成を示すブロック図である。
【図３】タイムコードの修正のために行われるべき操作内容と操作に応じた画面遷移とを模式的に示した図である。
【図４】実時間情報をタイムコード発生器に設定するために行われるべき操作内容と操作に応じた画面遷移とを模式的に示した図である。
【図５】タイムコードの修正動作と実施の形態としての動作とを実現するために行われるべき処理動作を示したフローチャートである。
【図６】タイムコードの修正動作と実施の形態としての動作とを実現するために行われるべき処理動作を示したフローチャートである。
【符号の説明】
【００８５】
１  記録再生装置、２  ＣＰＵ、３  ＲＯＭ、４  ＲＡＭ、５  フラッシュメモリ、６  記録／再生部、７  映像信号処理部、８  キャラクタ発生器、９  表示駆動部、１０  表示部、１１  操作部、１１ａ  サーチダイヤル、１１ｂ  DATAキー、１１ｃ  SETキー、１１ｄ  HOLDキー、１２  ディスク装填部、１３  タイムコード発生器、１４  実時間計時部、Ｄ  光ディスク
【図１】
2007287288.tif 000003
【図２】
2007287288.tif 000004
【図３】
2007287288.tif 000005
【図４】
2007287288.tif 000006
【図５】
2007287288.tif 000007
【図６】
2007287288.tif 000008